(57)【要約】  【課題】羽根室外においてシャッタ構成部材などから発生した磨耗紛などが、セット部材の初期位置を規制するための長孔から、羽根室内に進入しにくくなるようにしたカメラ用フォーカルプレンシャッタを提供すること。  【解決手段】セット部材２２は、羽根室外でシャッタ地板１の軸１ｇに回転可能に取り付けられている。シャッタ地板１には、上記の軸１ｇよりも撮影光路用の開口部１ａ側に長孔１ｄが形成されている。このセット部材２２は、図示していない復帰ばねによって時計方向へ回転するように付勢されているが、その係合ピン２２ｇを長孔１ｄの下端に接触させ、初期位置を維持されている。セット部材２２には、この初期位置において、長孔１ｄを覆っている部位に肉薄の張出部２２ｅを形成しているため、その張出部２２ｅとシャッタ地板１の間を経て、長孔１ｄから磨耗粉などが羽根室内に進入しにくくなっている。【選択図】  図２
2005241871.tif 000002
【特許請求の範囲】
【請求項１】
被写体光路用の開口部の傍らに長孔を有しているシャッタ地板と、羽根室内において前記シャッタ地板に枢着された二つのアームとそれらの両方に枢支された少なくとも１枚の羽根とで構成されている少なくとも一つのシャッタ羽根と、被押動部と前記アームの一つに連結させた駆動ピンとを有しており羽根室外において前記シャッタ地板に回転可能に取り付けられている少なくとも一つの駆動部材と、初期位置では復帰ばねの付勢力によって長孔の一端に接触している係合ピンとセット時にはカメラ本体側の部材によって該復帰ばねの付勢力に抗して押される被押動部とセット時には前記駆動部材の被押動部を押し駆動ばねの付勢力に抗して前記駆動部材を回転させる少なくとも一つの押動部とを有していて羽根室外において前記シャッタ地板に回転可能に取り付けられているセット部材と、を備えていて、前記長孔は、前記セット部材の回転軸より前記開口部側に形成されており、前記セット部材は、初期位置にあるとき、前記被押動部を含むその近傍部位が前記長孔を覆うように形成されていると共に、該近傍部位からは、該近傍部位の厚さよりも薄い張出部が、前記シャッタ地板側の面を同じにして所定量だけ張り出して形成されていることを特徴とするカメラ用フォーカルプレンシャッタ。
【請求項２】
前記張出部が、前記シャッタ地板と反対側の面に、細長い溝を形成していることを特徴とする請求項１に記載のカメラ用フォーカルプレンシャッタ。
【請求項３】
前記溝が、前記近傍部位の外形に沿って形成されていることを特徴とする請求項２に記載のカメラ用フォーカルプレンシャッタ。
【発明の詳細な説明】
【技術分野】
【０００１】
本発明は、一つ又は二つのシャッタ羽根を備えていて、夫々のシャッタ羽根が、シャッタ地板に枢着された二つのアームと、それらのアームの両方に枢支された少なくとも１枚の羽根とで構成されているカメラ用フォーカルプレンシャッタに関する。
【背景技術】
【０００２】
カメラ用フォーカルプレンシャッタの中には、二つのシャッタ羽根（先羽根，後羽根）を別々の羽根室内に配置していて、撮影に際しては、それらの二つのシャッタ羽根が、セット位置から同じ方向へ順に走行を開始するようにしたものが知られている（特許文献１，２参照）が、この種のフォーカルプレンシャッタは、銀塩フィルムカメラにも、デジタルスチルカメラにも採用されている。また、主にデジタルスチルカメラに採用されていて、シャッタ羽根を一つだけ備えたものが知られているが、この種のフォーカルプレンシャッタは、セット位置では、固体撮像素子の前面を開放させておき、撮影の終了時にのみ固体撮像素子の前面を覆い、その後、セット位置へ復帰させるように作動させられるようになっている。そして、それらのフォーカルプレンシャッタは、いずれも、シャッタ羽根が、シャッタ地板の羽根室側の面に枢着された二つのアームと、それらのアームの両方に枢支された少なくとも１枚の羽根とで構成されている。
【０００３】
また、シャッタ地板の羽根室外の面には、シャッタ羽根用の駆動部材が回転可能に取り付けられており、その駆動ピンが、羽根室内でシャッタ羽根の一方のアームに連結されている。そして、この駆動部材は、撮影時には、駆動ばねの付勢力によって回転させられてシャッタ羽根を急速に走行させ、セット時には、セット部材によって駆動ばねの付勢力に抗して回転させられ、シャッタ羽根をセット状態に復帰させる。また、この駆動部材は、撮影時には、電磁石への通電を断つことによって作動を開始させられるが、その直前における駆動部材の保持構成には、ダイレクトタイプと称されているものと、係止タイプと称されているものとがある。そのうち、ダイレクトタイプは、駆動部材に設けられた鉄片部材を電磁石で吸着することにより、駆動ばねの付勢力に抗して駆動部材を保持する構成にしたものである（特許文献１参照）。また、係止タイプは、係止部材を別に備えていて、その係止部材が、駆動ばねの付勢力に抗して駆動部材を係止しているように構成したものである（特許文献２参照）。そのため、係止タイプの場合には、電磁石の通電を断つと、それによって釈放された部材が係止部材を回転させ、駆動部材の係止を解くようになっている。
【０００４】
更に、上記のセット部材は、少なくとも一つの押動部と、係合ピンと、被押動部とを有していて、シャッタ地板の羽根室外の面に回転可能に取り付けられている。このセット部材は、復帰ばねによって一方方向への回転習性を付与されており、初期位置では、その復帰ばねの付勢力によって、係合ピンを、シャッタ地板に形成された長孔の一端に接触させ、停止状態を維持される。そして、このセット部材は、セット時には、その被押動部をカメラ本体側の部材に押されることによって、復帰ばねの付勢力に抗して初期位置から回転させられ、その押動部によって上記の駆動部材の被押動部を押し、駆動ばねの付勢力に抗して回転させていくようになっているが、セット作動後における初期位置への復帰時機は、上記のダイレクトタイプの場合と係止タイプの場合とで異なっている。
【０００５】
即ち、電磁石には、撮影時にカメラのレリーズボタンを押さないと通電されないように構成されていることから、ダイレクトタイプの場合には、レリーズ後に駆動部材が電磁石に吸着保持されるまではセット位置に停止させておき、レリーズ後に吸着保持されてから初期位置へ復帰させる必要があるが、係止タイプの場合には、セット作動の最終段階において、駆動部材が上記の係止部材に係止されることから、セット後は直ちに初期位置へ復帰させられるようになっている。そして、いずれの場合にも、初期位置への復帰作動は、カメラ本体側の部材がセット部材の被押動部から退いていくのに追従し、復帰ばねの付勢力によって行なわれる。
【０００６】
このような構成のフォーカルプレンシャッタにおいては、上記のように、セット部材の初期位置を規制するために、シャッタ地板に長孔が形成されているが、この長孔は貫通孔である。そのため、漏光防止の観点から、この長孔は、セット部材の回転軸から見て、露光開口とは反対側の位置に形成するのが普通である。しかしながら、セット部材は、上記のように、カメラ本体側の部材によって回転させられるものであることから、その連動構成の観点から見た場合には、漏光対策は別に考慮することにして、特許文献１，２にも記載されているように、セット部材の回転軸から見て露光開口側の位置に形成することがある。そして、上記の長孔を露光開口側の位置に形成する理由は、特許文献３に詳しく記載されている。本発明は、このように、セット部材の初期位置規制用の長孔が、セット部材の回転軸から見て露光開口側においてシャッタ地板に形成されているようにした構成のフォーカルプレンシャッタに関するものである。
【特許文献１】特開２０００−２５００９５号公報
【特許文献２】特開２００２−１３９７６９号公報
【特許文献３】特開平１０−２３９７３１号公報
【発明の開示】
【発明が解決しようとする課題】
【０００７】
上記の構成をしたフォーカルプレンシャッタは、シャッタ地板の羽根室外の面に、上記の駆動部材やセット部材のほかにも各種の構成部材を沢山取り付けているが、それらの殆どは、比較的上記の長孔の近傍位置に取り付けられている。また、それらの部材は、セット作動時や露光作動時において回転させられる部材であったり、それらの回転部材と摺接する部材であったり、それらの回転部材に当接される部材であったりするため、上記の長孔の付近ではシャッタの作動の都度、それらの摺接や当接によって、微細な磨耗紛が発生する。また、シャッタ機構以外のカメラ構成部材（例えば、ミラー駆動機構）から発生した磨耗紛や外部からカメラ内に進入してきたゴミなども、長孔の近傍に飛来してくるものがある。
【０００８】
周知のように、通常は露光開口の前面にミラーボックスが配置されているため、カメラ内では、上記の長孔と露光開口との間にミラーボックスの壁が存在している。そのため、上記の長孔の近傍で発生したり、その長孔の近傍に飛来してきた磨耗紛などは、ミラーボックス内を経由して羽根室側に進入してくる可能性は比較的少なく、上記の長孔から羽根室内に進入してくることになる。ところが、上記の長孔が、セット部材の回転軸から見て、露光開口とは反対側の位置に形成されている場合には、その形成位置が露光開口から遠いため、それほど問題にならないが、セット部材の回転軸より露光開口側に形成されている場合には、その長孔から羽根室内へ進入した磨耗粉などは、フィルム面や固体撮像素子面に到達し易くなる。そのため、それらの表面に所定量以上付着した場合には、好適な撮影結果が得られなくなり、特に、デジタルスチルカメラの場合には、固体撮像素子がカメラ内に固定されているため、磨耗紛などが数十ミクロン台の極めて微細なものであっても、それらが蓄積されていくことによって問題となってしまう。
【０００９】
また、駆動部材の被押動部とセット部材の押動部とは、特許文献１に記載されているように、カム部として構成される場合と、特許文献２に記載されているように、少なくとも一方をローラとする場合があるが、それらの連動関係が好適に行なえるようにするために、グリスを、カム部の表面に塗布したり、ローラの軸に塗布したりすることがある。ところが、駆動部材の場合には、駆動ばねの付勢力によって高速で回転されるため、その停止時には大きな衝撃が発生し、グリスの微粉末を飛散させることがあり、そのようなグリスの微粉末が、上記の長孔から羽根室内に進入した場合には、上記の長孔の形成位置が羽根の配置面に対応しているために、その微粉末が羽根の表面に付着して、やがては羽根の作動に影響を及ぼすようになってしまう可能性がある。
【００１０】
本発明は、このような問題点を解決するためになされたものであり、その目的とするところは、羽根室外におけるシャッタ機構等で発生した磨耗紛や油性の微粉末などが、セット部材の初期位置を規制するためにセット部材の回転軸よりも露光開口側においてシャッタ地板に形成された長孔から、羽根室内に進入しにくくなるように構成したカメラ用フォーカルプレンシャッタを提供することである。
【課題を解決するための手段】
【００１１】
上記の目的を達成するために、本発明のカメラ用フォーカルプレンシャッタは、被写体光路用の開口部の傍らに長孔を有しているシャッタ地板と、羽根室内において前記シャッタ地板に枢着された二つのアームとそれらの両方に枢支された少なくとも１枚の羽根とで構成されている少なくとも一つのシャッタ羽根と、被押動部と前記アームの一つに連結させた駆動ピンとを有しており羽根室外において前記シャッタ地板に回転可能に取り付けられている少なくとも一つの駆動部材と、初期位置では復帰ばねの付勢力によって長孔の一端に接触している係合ピンとセット時にはカメラ本体側の部材によって該復帰ばねの付勢力に抗して押される被押動部とセット時には前記駆動部材の被押動部を押し駆動ばねの付勢力に抗して前記駆動部材を回転させる少なくとも一つの押動部とを有していて羽根室外において前記シャッタ地板に回転可能に取り付けられているセット部材と、を備えていて、前記長孔は、前記セット部材の回転軸より前記開口部側に形成されており、前記セット部材は、初期位置にあるとき、前記被押動部を含むその近傍部位が前記長孔を覆うように形成されていると共に、該近傍部位からは、該近傍部位の厚さよりも薄い張出部が、前記シャッタ地板側の面を同じにして所定量だけ張り出して形成されているようにする。
【００１２】
その場合、前記張出部が、前記シャッタ地板と反対側の面に、細長い溝を形成しているようにすると、特に油性を帯びた微粉末に対して有効な構成となり、さらに、その溝が、前記近傍部位の外形に沿って形成されているようにすると、セット部材の成形金型の製作が容易になる。
【発明の効果】
【００１３】
本発明は、シャッタ地板に回転可能に取り付けられているセット部材が、その係合ピンを、復帰ばねの付勢力によって、シャッタ地板に形成されている長孔の一端に接触させ、初期位置での停止状態を維持されるようになっていて、セット時には、その被押動部を、カメラ本体側の部材に押されて回転し、駆動部材を介してシャッタ羽根をセットするようにしたカメラ用フォーカルプレンシャッタにおいて、セット部材に、上記の被押動部を含むその近傍部位から、該近傍部位の厚さよりも薄い張出部を、前記シャッタ地板側の面に沿って前記シャッタ地板と平行に張り出して形成したものであるから、上記の長孔を、セット部材の回転軸よりも露光開口側に形成しても、羽根室外においてシャッタ地板に取り付けられた構成部材から発生する磨耗紛などが、その長孔から羽根室内に進入しにくいという特徴を有している。
【発明を実施するための最良の形態】
【００１４】
本発明の実施の形態を、図１〜図６に示した実施例によって説明するが、この実施例は、銀塩フィルムカメラにも、デジタルスチルカメラにも採用することの可能な、二つのシャッタ羽根（先羽根，後羽根）を備えたフォーカルプレンシャッタとして構成したものである。そして、図１〜図６は、いずれもカメラに組み込まれた状態において被写体側から視た平面図であって、図１は先羽根と後羽根が露光作動を開始する直前の状態を示したものであり、図２はその状態における二つの駆動部材とセット部材を示したものである。また、図３は先羽根と後羽根の露光作動中の状態を示したものである。更に、図４は露光作動の終了直後の状態における二つの駆動部材とセット部材を示したものであり、図５はその状態における先羽根と後羽根を示したものである。そして、図６はセット状態における二つの駆動部材とセット部材を示したものである。尚、各図とも、図面を見やすくするために、他図を参照すれば理解できるところは、省略して示してある。
【実施例】
【００１５】
先ず、本実施例の構成を説明する。図１において、シャッタ地板１には、その略中央部に長方形を横長にした撮影光路用の開口部１ａが形成されており、その開口部１ａの左側には、円弧状の三つの長孔１ｂ，１ｃ，１ｄが形成されている。そして、長孔１ｂ，１ｃの上方端面には、周知の緩衝部材が夫々取り付けられているが、その図示が省略されている。また、シャッタ地板１の被写体側、即ち表面側には、軸１ｅ，１ｆ，１ｇが立設されされており、背面側には軸１ｈ，１ｉ，１ｊ，１ｋ，１ｍ，１ｎ，１ｐ，１ｑ，１ｒ，１ｓ，１ｔが立設されているが、それらのうち、軸１ｅと軸１ｑ、及び軸１ｆと軸１ｓは、同心となるようにして立設されている。
【００１６】
シャッタ地板１の背面側には、中間板２が、上記の軸１ｈ，１ｉ，１ｊに取り付けられており、シャッタ地板１との間に、後述する先羽根の羽根室を構成している。この中間板２にも、その略中央部に、上記の開口部１ａと類似の形状をした撮影光路用の開口部２ａが形成されているが、その二つの長辺は、周知の理由によって山形に形成されている。中間板２の背面側には、補助地板３が、シャッタ地板１の軸１ｋ，１ｍ，１ｎ，１ｐに取り付けられており、中間板２との間に、後述する後羽根の羽根室を構成している。そして、この補助地板３にも、その略中央部に、シャッタ地板１の開口部１ａと略同一の形状をした撮影光路用の開口部３ａが形成されている。通常は、この開口部３ａと、上記の二つの開口部１ａ，２ａとを重ね、それらの一つ又は複数によって、撮影光路域、即ち露光開口を規制するようになっているが、本実施例の場合は、その露光開口が開口部１ａのみによって規制されるようになっている。
【００１７】
図３は、図１に示した中間板２，補助地板３を取り除き、且つシャッタ地板１を一点鎖線で示したものである。そのため、先羽根の構成と後羽根の構成は、図１よりも図３の方が理解し易くなっている。そこで、先ず、先羽根の構成について説明する。シャッタ地板１の軸１ｑ，１ｒには、アーム４，５が枢着されており、それらの枢着部から先端部に向けて、４枚の羽根６，７，８，９が、周知の連結軸を介して順に枢支されている。そして、それらの羽根の重なり関係は、羽根６が一番中間板２側にあり、羽根９が一番シャッタ地板１側、即ちアーム４，５側となっている。また、アーム４，５の一番先端部側に取り付けられている羽根９がスリット形成羽根であり、他の羽根は、スリット形成羽根９と区別するために、一般には、被い羽根と言われている羽根である。尚、図５においては、これらの羽根のうち、スリット形成羽根９のみが示されていて、他の羽根６，７，８は図示を省略されている。
【００１８】
他方、後羽根は、シャッタ地板１の軸１ｓ，１ｔに枢着されたアーム１０，１１と、それらの枢着部から先端部に向けて、周知の連結軸を介して順に枢支された４枚の羽根１２，１３，１４，１５で構成されており、それらの４枚の羽根の重なり関係は、羽根１２が一番中間板２側にあり、羽根１５が一番補助地板３側、即ちアーム１０，１１側となっている。そして、アーム１０，１１の先端部に取り付けられた羽根１５がスリット形成羽根であり、他の羽根は被い羽根である。尚、図１においては、図面を見やすくするために、後羽根の４枚の羽根の形状を一部省略して示してある。
【００１９】
次に、図２及び図４を用いて、シャッタ地板１の羽根室外に取り付けられている、二つの駆動部材の構成を説明する。先ず、図２に示すように、本実施例の先羽根用駆動部材１６は、シャッタ地板１の軸１ｅに回転可能に取り付けられている。この先羽根用駆動部材１６は、合成樹脂製であって、背面側に立設された駆動ピン１６ａと、被押動部１６ｂと、表面側即ち被写体側に隆起して形成された取付部１６ｃと、肉薄部１６ｄとを有しており、図示していない先羽根用駆動ばねによって反時計方向ヘ回転するように付勢されている。そして、その駆動ピン１６ａは、シャッタ地板１に形成された円弧状の長孔１ｂを貫通し、上記のアーム４に形成された孔に嵌合している。そのため、先羽根用駆動部材１６が軸１ｅで回転させられると、アーム４も同じ回転方向ヘ回転させられるようになっている。
【００２０】
他方、後羽根用駆動部材１７は、シャッタ地板１の軸１ｆに回転可能に取り付けられている。この後羽根用駆動部材１７は、合成樹脂製であって、背面側に立設された駆動ピン１７ａと、背面側に肉厚部の端面として形成された被押動部１７ｂと、表面側即ち被写体側に隆起して形成された取付部１７ｃとを有しており、図示していない後羽根用駆動ばねによって反時計方向ヘ回転するように付勢されている。そして、この後羽根用駆動部材１７の駆動ピン１７ａは、シャッタ地板１に形成された円弧状の長孔１ｃを貫通し、上記のアーム１０に形成された孔に嵌合している。そのため、後羽根用駆動部材１７が軸１ｆで回転させられると、アーム１０も同じ回転方向ヘ回転させられるようになっている。
【００２１】
ところで、図２では図示を省略されているが、上記した各駆動部材１６，１７の取付部１６ｃ，１７ｃには、鉄片部材１８，１９が取り付けられている。そこで、その取付け構成を、取付部１６ｃ，１７ｃを破断して示した図４を用いて説明する。鉄片部材１８，１９は、夫々、鉄片部１８ａ，１９ａと、軸部１８ｂ，１９ｂと、頭部１８ｃ，１９ｃとで構成されており、圧縮ばね２０，２１によって、鉄片部１８ａ，１９ａを取付部１６ｃ，１７ｃから突き出すように付勢されていて、図４においては、頭部１８ｃ，１９ｃを取付部１６ｃ、１７ｃに接触させている。そして、この鉄片部材１８，１９は、鉄片部１８ａ、１９ａの突き出された面を、図示していない先羽根用電磁石と後羽根用電磁石に吸着される面としている。
【００２２】
次に、シャッタ地板１の軸１ｇに取り付けられているセット部材２２を説明する。このセット部材２２は、合成樹脂製であって、先羽根用駆動部材１６の被押動部１６ｂを押す押動部２２ａと、後羽根用駆動部材１７の被押動部１７ｂを押す押動部２２ｂと、突出部２２ｃと、被写体側（表面側）に厚くなるように形成されている被押動部２２ｄとを有している。また、その被押動部２２ｄを設けた部位も含めたその近傍部位には、シャッタ地板１と平行になるようにして張出部２２ｅが形成されているが、この張出部２２ｅは、その近傍部位の厚さよりも薄く、且つシャッタ地板１側の面がその近傍部位のシャッタ地板１側の面と同一面になるようにして形成されている。そして、その張出部２２ｅには、被写体側の面に、その近傍部位の外形に沿って細長い溝２２ｆが形成されている。更に、セット部材２２は、その背面側に設けた係合ピン２２ｇを、シャッタ地板１の長孔１ｄに挿入しているが、図２においては、図示していない周知の復帰ばねの付勢力によって、その係合ピン２２ｇを長孔１ｄの下端に接触させている。セット部材２２については、以下、この回転位置を初期位置と称することにする。
【００２３】
次に、本実施例の作動を説明する。図１及び図２は露光作動の開始直前の状態を示してある。即ち、既に、カメラのレリーズが行われていて、図２においては示されていない鉄片部材１８，１９（図４参照）が先羽根用電磁石と後羽根用電磁石に吸着保持された後、セット部材２２が、図示していないばねの付勢力によって初期位置に復帰した状態を示している。このとき、セット部材２２は、図２に示されているように、被押動部２２ｄを含むその近傍部位によって長孔１ｄを覆っているが、セット部材２２の背面側の面はシャッタ地板１に接触しておらず、シャッタ地板１との間には僅かな間隔の隙間が設けられている。
【００２４】
また、このとき、先羽根用駆動部材１６は、図示していない先羽根用駆動ばねの付勢力に抗して、露光作動開始位置に保持され、先羽根の４枚の羽根６，７，８，９は、図１に示すように、隣接する羽根との重なりを小さくした展開状態になって、開口部１ａを覆っている。他方、後羽根用駆動部材１７も、図示していない後羽根用駆動ばねの付勢力に抗して露光作動開始位置に保持されていて、後羽根の４枚の羽根１２，１３，１４，１５は、隣接する羽根との重なりを大きくした重畳状態となり、開口部１ａの下方位置に格納されている。このことからも分かるように、本実施例は、既に説明したダイレクトタイプのフォーカルプレンシャッタである。
【００２５】
このように、レリーズ後、セット部材２２が初期位置に復帰すると、先ず、図示していない先羽根用電磁石の通電が断たれて、先羽根用駆動部材１６が、図示していない先羽根用駆動ばねの付勢力によって反時計方向へ回転を開始する。それによって、先羽根用駆動部材１６の駆動ピン１６ａがアーム４を反時計方向へ回転させるので、先羽根の４枚の羽根６，７，８，９は、隣接する羽根同士の重なりを大きくしつつ上方へ作動し、スリット形成羽根９の下端縁で開口部１ａを開いていく。
【００２６】
先羽根用電磁石の通電が断たれてから所定時間が経過すると、今度は、図示していない後羽根用電磁石の通電が断たれる。そのため、後羽根用駆動部材１７は、図示していない後羽根用駆動ばねの付勢力によって反時計方向へ回転させられる。それによって、後羽根用作動部材１７の駆動ピン１７ａがアーム１０を反時計方向へ回転させるので、後羽根の４枚の羽根１２，１３，１４，１５は、隣接する羽根同士の重なりを小さくしつつ上方へ作動し、スリット形成羽根１５の上端縁で開口部１ａを閉じていく。このようにして、２枚のスリット形成羽根９、１５によって形成されたスリットにより、フィルムの感光面や固体撮像素子の撮像面を連続的に露光させていくが、そのような作動途中の状態が図３に示されている。
【００２７】
その後、先羽根の４枚の羽根６，７，８，９が重畳状態となって、開口部１ａから退くと、先羽根用駆動部材１６は、その駆動ピン１６ａが、長孔１ｂの上端面に取り付けられている図示していない緩衝部材に当接して停止させられる。また、その後、後羽根の４枚の羽根１２，１３，１４，１５が展開状態となって、開口部１ａを完全に覆うようになると、後羽根用駆動部材１７の駆動ピン１７ａが、長孔１ｃの上端面に取り付けられている図示していない緩衝部材に当接することによって停止させられる。図４及び図５は、そのようにして、露光作動の終了した直後の状態を示したものである。
【００２８】
次に、本実施例のセット作動を説明する。図４及び図５に示した状態になって所定の時間が経過すると、図示していないカメラ本体側の部材が、セット部材２２の被押動部２２ｄを上方へ押して、セット部材２２を、図示していない復帰ばねの付勢力に抗して反時計方向ヘ回転させる。このとき、張出部２２ｅが肉薄であってシャッタ地板１側に形成されているため、カメラ本体側の部材は、張出部２２ｅには接触せず、被押動部２２ｄだけを押せるようになっている。
【００２９】
セット部材２２は、このようにして反時計方向へ回転させられるとき、先ず、押動部２２ａが、先羽根用駆動部材１６の被押動部１６ｂを押し、図示していない先羽根用駆動ばねの付勢力に抗して先羽根用駆動部材１６を時計方向へ回転させる。それによって先羽根が作動させられ、４枚の羽根６，７，８，９は、隣接する羽根同士の重なりを小さくしつつ下降する。そして、先羽根のスリット形成羽根９が後羽根のスリット形成羽根１５に所定量重なると、セット部材２２は、押動部２２ｂによって、後羽根用駆動部材１７の被押動部１７ｂを押し、図示していない後羽根用駆動ばねの付勢力に抗して、後羽根用駆動部材１７を時計方向へ回転させる。そのため、その段階からは、後羽根も作動を開始し、４枚の羽根１２，１３，１４，１５が、隣接する羽根同士の重なりを大きくしつつ下降していく。
【００３０】
ところで、このようなセット部材２２の回転によって行なわれる駆動部材１６，１７の回転は、駆動電源の消費電力を少なくするためや、先羽根，後羽根のセット作動を安定化させるために、低トルクで円滑に行なわれる必要がある。ところが、セット部材２２の押動部２２ａ，２２ｂと駆動部材１６，１７の被押動部１６ｂ，１７ｂとの関係は、加工上，組立上の累積公差によって、設計基準どおりに製作することがなかなか難しい。そのため、押動部２２ａ，２２ｂと被押動部１６ｂ，１７ｂの摺接部位には、グリスなどの潤滑油を塗布することが知られている。また、押動部２２ａ，２２ｂと被押動部１６ｂ，１７ｂを、本実施例のようにカム形状の部位とせず、特許文献２にも記載されているように、それらの一つ又は複数をローラとする場合があるが、その場合には、同様な趣旨で、その回転軸部にも塗布することが知られている。
【００３１】
このようにして、セット作動は、低トルクで円滑に行なわれていくが、先羽根の４枚の羽根６，７，８，９が展開状態となって開口部１ａを覆い終わると、鉄片部材１８，１９が、相前後して夫々の各電磁石に接触する。そのため、鉄片部材１８，１９の鉄片部１８ａ，１９ａは、圧縮ばね２０，２１の付勢力に抗して取付部１６ｃ，１７ｃ内に押し込まれてゆき、その反対に、頭部１８ｃ，１９ｃは取付部１６ｃ，１７ｃから離れていくことになる。そして、そのような状態になった直後に、図示していないカメラ本体側の部材の押動が停止するので、セット部材２２の回転も停止し、直ちに初期位置へ復帰することなく、次の撮影が行われるまで、その位置に留まることになる。図６は、そのようにして行われたセット作動の終了状態における二つの駆動部材１６，１７とセット部材２２とを示したものである。このとき、先羽根と後羽根は、図１に示された状態と殆ど同じになっているが、厳密に言うと同じではなく、鉄片部材１８，１９の鉄片部１８ａ，１９ａを、圧縮ばね２０，２１の付勢力に抗して取付部１６ｃ，１７ｃ内に押し込んだ分だけオーバーランした状態になっている。
【００３２】
次に、撮影に際して、図１及び図２の状態になるまでの作動を説明する。カメラのレリーズボタンが押されると、先ず、図示していない先羽根用電磁石と後羽根用電磁石に通電され、それらの電磁石に接触していた鉄片部材１８，１９が吸着保持される。その後、図示していないカメラ本体側の部材が下降し、被押動部２２ｄから退いていくので、それに追従して、セット部材２２は、図６に示された状態から、図示していない復帰ばねの付勢力によって時計方向ヘ回転させられる。しかしながら、余り長期間カメラを使用していなかったときなどは、上記したグリスなどの影響で、セット部材２２が直ちに追従して回転しない場合がある。そこで、そのような場合には、上記したカメラ本体側の部材が、突出部２２ｃを押し、その接着作用を解くようになっている。そのため、いずれにしても、セット部材２２は、初期位置へ向けて時計方向ヘ回転させられるようになっている。
【００３３】
このようにして、図６の状態から、セット部材２２が時計方向ヘ回転を開始すると、その押動部２２ａ，２２ｂが、夫々の駆動部材１６，１７の被押動部１６ｂ，１７ｂから離れていくので、各駆動部材１６，１７は、図６の状態から、図示していない各駆動ばねの付勢力によって、反時計方向ヘ僅かに回転して停止する。即ち、各駆動部材１６，１７は、セット状態において、各鉄片部材１８，１９の頭部１８ｃ，１９ｃから取付部１６ｃ，１７ｃが離れていた分だけ、図示していない各駆動ばねによって反時計方向ヘ回転され、各電磁石の磁力によって、その状態を維持されることになる。従って、厳密に言うと、このとき、先羽根も後羽根もセット状態から若干戻ることになるが、先羽根のスリット形成羽根９の下端縁も、後羽根のスリット形成羽根１５の上端縁も、開口部１ａの下方位置に留まっている。その後、セット部材２２は、なおも時計方向の回転を続け、その係合ピン２２ｇが、シャッタ地板１の長孔１ｄの下端に当接して停止する。そのようにして、セット部材２２が初期位置へ復帰した状態が、図１及び図２に示された状態である。
【００３４】
ところで、本実施例の場合、図面には、シャッタの構成部材を全て示しているわけではない。実際には、シャッタ地板１の表面側に、沢山の部材が取り付けられている。そして、それらのうちのかなりの部材が、上記の作動に伴って機械的な作動をしている。そのため、その作動のたびに、それらの部材からは微細な磨耗紛を発生させている。例えば、上記の本実施例の説明に出てきた部材の場合だけでも、先羽根用駆動部材１６，後羽根用駆動部材１７，セット部材２２は回転部材であるから、軸１ｅ，１ｆ，１ｇとの間に磨耗紛を発生させるし、その軸部にグリスなどを塗布している場合には、油性の微粉末を発生させる。また、セット部材２２の押動部２２ａ、２２ｂが二つの駆動部材１６，１７の被押動部１６ｂ，１７ｂを押すときには、グリスなどを塗布していないときには、摺接によって磨耗紛を発生させるし、グリスを塗布している場合には油性の微粉末を発生させる。更に、各駆動部材１６，１７の駆動ピン１６ａ，１７ａが図示していない緩衝部材に当接したときには、それらの緩衝部材から磨耗紛を発生させる。
【００３５】
また、本実施例のフォーカルプレンシャッタをカメラ本体に取り付けた場合には、開口部１ａの周囲にミラーボックスの壁が配置され、シャッタ地板１の開口部１ａはミラーボックス内に臨み、駆動部材１６，１７やセット部材２２はミラーボックス外に配置されることになる。そして、その場合には、シャッタとミラーとの作動を連動させるために、長孔１ｄが形成されている側の壁面にミラーの駆動機構を取り付けることがあるが、それらの機構からも磨耗粉などは発生する。そのため、そのようにして発生した磨耗粉などが、羽根室内に進入するのは、シャッタ地板１に形成された長孔１ｂ，１ｃ，１ｄということになる。そのうち、長孔１ｂ，１ｃから進入するのを抑制する対策は、例えば、特開２００３−２７０７００号公報で知られているが、本発明は、それとは別に、長孔１ｄからの進入を抑制するようにしたものである。
【００３６】
図１から分かるように、本実施例の場合には、特許文献３に記載された理由によって、長孔１ｄが、セット部材２２を取り付けている軸１ｇよりも開口部１ａ側に形成されているため、一般に多く実施されているフォーカルプレンシャッタのように、開口部１ａから見て軸１ｇよりも遠い位置に形成されている場合に比較して、先羽根の羽根室内に進入した磨耗粉などが、中間板２の開口部２ａに入り込み、フィルムの感光面や固体撮像素子の撮像面に達しやすい構成となっている。その場合、長孔１ｄから進入した磨耗粉などは、先羽根に阻まれるなどして直ちに固体撮像素子などに達することはないが、長孔１ｄを、開口部１ａ側に形成した場合には、それだけ達しやすくなることが確かである。また、図１からも分かるように、本実施例の場合は、羽根６が長孔１ｄに臨んでいるため、油性の微粉末が付着して累積されていくと、やがて、先羽根の作動に影響を与えるようになってしまうことになる。そのため、このような位置に長孔１ｄを形成する場合には、念には念を入れた対策が必要になる。
【００３７】
ところで、本実施例の場合において、長孔１ｄから、磨耗粉などが進入しやすいのは、駆動部材１６，１７が各々の駆動ばねの付勢力によって作動され、駆動ピン１６ａ，１７ａが緩衝部材に当接して停止させられたときと、セット部材２２が復帰ばねの付勢力によって作動され、係合ピン２２ｇが長孔１ｄの下端に当接して停止させられたときである。このときには、その作動で発生した磨耗粉などはもちろんのこと、それまでに発生して長孔１ｄの近傍に堆積されていた磨耗粉などが舞い上がるからである。
【００３８】
ところが、上記のようにして二つの駆動部材１６，１７やセット部材２２が停止するときは、上記の作動説明からも分かるように、長孔１ｄは、セット部材２２の被押動部２２ｄを含むその近傍部位により、既に覆われている。しかしながら、セット部材２２とシャッタ地板１との間には間隙があるため、舞い上がった磨耗粉などのなかには、そこから羽根室内に進入しようとするものがある。それに対して、本実施例の場合には、従来の構成とは異なり、その近傍部位からシャッタ地板１と平行に張出部２２ｅを形成している。そのため、張出部２２ｅとシャッタ地板１との間隔寸法に対して、張出部２２ｅの張り出し寸法が大きくなっており、長孔１ｄから進入するのを好適に抑制できるようになっている。
【００３９】
また、本実施例の場合には、張出部２２ｅに、細長い溝２２ｆが形成されているが、このような溝２２ｆを形成しておくと、磨耗粉などがそこに入ったとき、上記のような衝撃で舞い上がりにくくなるという利点がある。特に、油性の微粉末などがそこに入ると、そのなかに溜まってゆき、舞い上がりにくくなるだけではなく、他の磨耗粉を捕捉しやすくなるということもある。そして、このような役目をする溝２２ｆは、張出部２２ｅの表面に、どのような形状に形成しても差し支えないが、本実施例のように形成すると、金型設計は簡単になる。尚、上記の実施例は、先羽根と後羽根という二つのシャッタ羽根を備えたフォーカルプレンシャッタであるが、シャッタ羽根を一つだけ備えたものにも、本発明は適用可能である。また、上記の実施例では、駆動部材などを取り付けたシャッタ地板１が被写体側となり、補助地板３が撮影者側となる場合で説明したが、デジタルスチルカメラに組み込まれる場合には、補助地板３を被写体側とすることもある。
【図面の簡単な説明】
【００４０】
【図１】実施例の平面図であって、露光作動を開始する直前の状態を示したものであ            る。
【図２】図１の状態における二つの駆動部材とセット部材を示した平面図である。
【図３】二つのシャッタ羽根の露光作動中の状態を示した実施例の平面図である。
【図４】露光作動の終了直後の状態における二つの駆動部材とセット部材を示した実            施例の平面図である。
【図５】図４の状態におけるの二つのシャッタ羽根を示した平面図である。
【図６】セット状態における二つの駆動部材とセット部材を示した実施例の平面図で            ある。
【符号の説明】
【００４１】
１                                  シャッタ地板
１ａ，２ａ，３ａ                    開口部
１ｂ，１ｃ，１ｄ                    長孔
１ｅ〜１ｋ，１ｍ，１ｎ，１ｐ〜１ｔ  軸
２                                  中間版
３                                  補助地板
４，５，１０，１１                  アーム
６，７，８，９，１２，１３，１４，１５  羽根
１６                                先羽根用駆動部材
１６ａ，１７ａ                      駆動ピン
１６ｂ，１７ｂ，２２ｄ              被押動部
１６ｃ，１７ｃ                      取付部
１６ｄ                              肉薄部
１７                                後羽根用駆動部材
１８，１９                          鉄片部材
１８ａ，１９ａ                      鉄片部
１８ｂ．１９ｂ                      軸部
１８ｃ，１９ｃ                      頭部
２０，２１                          圧縮ばね
２２                                セット部材
２２ａ，２２ｂ                      押動部
２２ｃ                              突出部
２２ｅ                              張出部
２２ｆ                              溝
２２ｇ                              係合ピン
【図１】
2005241871.tif 000003
【図２】
2005241871.tif 000004
【図３】
2005241871.tif 000005
【図４】
2005241871.tif 000006
【図５】
2005241871.tif 000007
【図６】
2005241871.tif 000008